(57)【要約】【課題】着座式トイレに対して、必要に応じて付設できる手摺装置を提供する。【解決手段】着座式トイレ２０の前部近傍に設置される設置基台１の左右方向の一端側又は両端側に、該設置基台１から立設された支柱５と該支柱５の上端において上記着座式トイレ２０の前後方向へ延出するように取り付けられた側部肘掛６を備えた肘付手摺ユニット２を取り付けて構成する。係る構成によれば、上記手摺装置を必要に応じて着座式トイレ２０の前部近傍に付設することで、トイレ使用時における使用者の姿勢保持等の要請に的確に対応することができ、延いては該手摺装置による使用者に対する支援効果が促進される。【選択図】図１
2020025742.tif 000002
【特許請求の範囲】
【請求項１】
着座式トイレの前部近傍に設置される設置基台の左右方向の一端側又は両端側に、該設置基台から立設された支柱と該支柱の上端において上記着座式トイレの前後方向へ延出するように取り付けられた側部肘掛を備えた肘付手摺ユニットを取り付けて構成されたことを特徴とする手摺装置。
【請求項２】
請求項１において、
上記側部肘掛の前端に、上下方向に回動自在で且つ略水平の回動位置では上記着座式トイレの前方側への横設状態で位置保持される前部肘掛が設けられていることを特徴とする手摺装置。
【請求項３】
請求項１又は２において、
上記肘付手摺ユニットが上記設置基台の上記着座式トイレに近い側の縁部寄りに設置される一方、
上記着座式トイレから遠い側に縁部には、上記設置基台に立設された支柱の上端側に手摺体を取り付けて成る補助手摺ユニットが設置されていることを特徴とする手摺装置。
【請求項４】
請求項３において、
上記肘付手摺ユニットは、上記設置基台に対する取付け位置が該設置基台の左右方向において変更可能に構成されていることを特徴とする手摺装置。
【請求項５】
請求項３において、
上記補助手摺ユニットは、上記設置基台に対する取付け位置が該設置基台の左右方向において変更可能に構成されていることを特徴とする手摺装置。
【請求項６】
請求項１〜５において、
上記着座式トイレがポータブルトイレであることを特徴とする手摺装置。
【請求項７】
請求項１〜５において、
上記着座式トイレが洋式便トイレであることを特徴とする手摺装置。
【発明の詳細な説明】
【技術分野】
【０００１】
本願発明は、ポータブルトイレとか洋式トイレ等の着座式トイレに付設される手摺装置に関するものである。
【背景技術】
【０００２】
例えば、特許文献１〜２に示されるように、通常、ポータブルトイレにおいては、トイレ使用者の姿勢保持とか姿勢支援等の観点から、トイレ本体部の左右両側に肘掛が備えられている。
【０００３】
また、洋式トイレには、肘掛は標準仕様としては備えられておらず、そのため特許文献３〜４に示すように、洋式トイレの両側部に跨るようにして別体構成の手摺装置を配置することが試みられている。
【先行技術文献】
【特許文献】
【０００４】
【特許文献１】特開２０１４−６１１８４号公報
【特許文献２】特開２０１６−２０２２２５号公報
【特許文献３】特開２００３−２７５１４７号公報
【特許文献４】特開２００４−３１３７３４号公報
【発明の概要】
【発明が解決しようとする課題】
【０００５】
ところが、ポータブルトイレに設けられた肘掛は、ポータブルトイレの可搬性、操作性等を考慮して、トイレ本体部に比して小形であり、肘掛機能を十分に達成するとは言えないものであった。このため、この当初設置の肘掛けの機能を補完すべく、十分な大きさをもった側部肘掛を備えることが望まれる場合がある。
【０００６】
また、ポータブルトイレの便座に着座しての用便時には、使用者の前面側に横設状態で前部肘掛が備えられていれば使用者はこれに肘を預けて前傾した安楽姿勢で用を足すことができることから、係る前部肘掛の付設も要請されるところである。
【０００７】
しかし、この大形の側部肘掛とか前部肘掛は、これをポータブルトイレに一体的に組み込むと該ポータブルトイレの可搬性、操作性が損なわれるため、好ましい対応とは言えない。
【０００８】
そこで考えられるのが、側部肘掛とか前部肘掛等を備えた手摺装置を、必要に応じて、ポータブルトイレに付設できれば好適である。
一方、洋式トイレにおいても、大形の手摺装置を固定的に設置するのではなく、必要に応じて、後付で手摺装置を設置できれば好適である。
【０００９】
そこで、本願発明は、ポータブルトイレとか洋式トイレのような着座式トイレに対して、必要に応じて付設できるようにした手摺装置を提供することを目的としてなされたものである。
【課題を解決するための手段】
【００１０】
本願発明ではかかる課題を解決するための具体的手段として次のような構成を採用している。
【００１１】
本願の第１の発明に係る手摺装置では、着座式トイレの前部近傍に設置される設置基台の左右方向の一端側又は両端側に、該設置基台から立設された支柱と該支柱の上端において上記着座式トイレの前後方向へ延出するように取り付けられた側部肘掛を備えた肘付手摺ユニットを取り付けて構成したことを特徴としている。
【００１２】
本願の第２の発明では、上記第１の発明に係る手摺装置において、上記側部肘掛の前端に、上下方向に回動自在で且つ略水平の回動位置では上記着座式トイレの前方側への横設状態で位置保持される前部肘掛を設けたことを特徴としている。
【００１３】
本願の第３の発明では、上記第１又は第２の発明に係る手摺装置において、上記肘付手摺ユニットを上記設置基台の上記着座式トイレに近い側の縁部寄りに設置する一方、上記着座式トイレから遠い側に縁部には、上記設置基台に立設された支柱の上端側に手摺体を取り付けて成る補助手摺ユニットを設置したことを特徴としている。
【００１４】
本願の第４の発明では、上記第３の発明に係る手摺装置において、上記肘付手摺ユニットは、上記設置基台に対する取付け位置が該設置基台の左右方向において変更可能に構成したことを特徴としている。
【００１５】
本願の第５の発明では、上記第３の発明に係る手摺装置において、上記補助手摺ユニットは、上記設置基台に対する取付け位置が該設置基台の左右方向において変更可能に構成したことを特徴としている。
【００１６】
本願の第６の発明では、上記第１〜第５の発明に係る手摺装置において、上記着座式トイレがポータブルトイレであることを特徴としている。
【００１７】
本願の第７の発明では、上記第１〜第５の発明に係る手摺装置において、上記着座式トイレが洋式トイレであることを特徴としている。
【発明の効果】
【００１８】
本願発明では次のような効果が得られる。
【００１９】
（ａ）本願の第１の発明
本願の第１の発明に係る手摺装置によれば、着座式トイレの前部近傍に設置される設置基台の左右方向の一端側又は両端側に、該設置基台から立設された支柱と該支柱の上端において上記着座式トイレの前後方向へ延出するように取り付けられた側部肘掛を備えた肘付手摺ユニットを取り付けて構成したので、この手摺装置を必要に応じて着座式トイレの前部近傍に付設すれば、トイレ使用時における使用者の姿勢保持等の要請に的確に対応することができ、延いては該手摺装置による使用者に対する支援効果が促進される。
【００２０】
（ｂ）本願の第２の発明
本願の第２の発明に係る手摺装置によれば、上記（ａ）に記載の効果に加えて、以下のような特有の効果が得られる。即ち、この発明では、上記側部肘掛の前端に、上下方向に回動自在で且つ略水平の回動位置では上記着座式トイレの前方側への横設状態で位置保持される前部肘掛を設けているので、使用者の用便時の姿勢保持が容易となり、特に高齢者等の体力的弱者にとってその効果は顕著となる。
【００２１】
（ｃ）本願の第３の発明
本願の第３の発明に係る手摺装置によれば、上記（ａ）又は（ｂ）に記載の効果に加えて、以下のような特有の効果が得られる。即ち、この発明では、上記肘付手摺ユニットを上記設置基台の上記着座式トイレに近い側の縁部寄りに設置する一方、上記着座式トイレから遠い側に縁部には、上記設置基台に立設された支柱の上端側に手摺体を取り付けて成る補助手摺ユニットを設置したので、トイレの使用者は、用便時には便座に着座した姿勢で上記着座肘付手摺ユニットを使用することで安楽姿勢を保持することができ、またトイレへの進入及び退出時には上記補助手摺ユニットを使用することで安全に移動することができる。
【００２２】
（ｄ）本願の第４の発明
本願の第４の発明に係る手摺装置によれば、上記（ｃ）に記載の効果に加えて、以下のような特有の効果が得られる。即ち、この発明では、上記肘付手摺ユニットの上記設置基台に対する取付け位置が該設置基台の左右方向において変更可能とされているので、例えば、トイレ使用者の体格とか使用上の好み等に応じて上記肘付手摺ユニットの取付け位置を変更することで、トイレ使用者に対する支援効果がさらに向上する。
【００２３】
（ｅ）本願の第５の発明
本願の第５の発明に係る手摺装置によれば、上記（ｃ）に記載の効果に加えて、以下のような特有の効果が得られる。即ち、この発明では、上記補助手摺ユニットは、上記設置基台に対する取付け位置が該設置基台の左右方向において変更可能に構成したので、例えば、トイレ使用者の体格とかトイレへの進入・退出経路の状況等に応じて上記肘付手摺ユニットの取付け位置を変更することで、トイレ使用者に対する支援効果がさらに向上する。
【００２４】
（ｆ）本願の第６の発明
本願の第６の発明に係る手摺装置によれば、上記（ａ）、（ｂ）、（ｃ）、（ｄ）（ｅ）に記載の効果に加えて、以下のような特有の効果が得られる。即ち、この発明では、手摺装置が、設置場所の変更が想定されるポータブルトイレに付設されるので、このポータブルトイレの設置場所が変更される場合には、上記手摺装置はその可搬性によって上記ポータブルトイレに対して常に適正な位置に設置することができ、該手摺装置の支援機能が維持される。
【００２５】
（ｇ）本願の第７の発明
本願の第７の発明に係る手摺装置によれば、上記（ａ）、（ｂ）、（ｃ）、（ｄ）（ｅ）に記載の効果に加えて、以下のような特有の効果が得られる。即ち、この発明では、手摺装置が、固定的に設置される洋式トイレに付設されるが、この場合、該手摺装置の上記設置基台を上記洋式トイレの前部形状に沿わせて切欠き成形することで、該手摺装置を上記洋式トイレの前部近傍の所要位置に設置することができ、該手摺装置の支援機能が維持される。
【図面の簡単な説明】
【００２６】
【図１】本願発明の第１の実施形態に係る手摺装置の全体を示す斜視図である。
【図２】図１に示した手摺装置の正面図である。
【図３】図１に示した手摺装置の一の形態変更を示す斜視図である。
【図４】図１に示した手摺装置の他の形態変更を示す斜視図である。
【図５】本願発明の第２の実施形態に係る手摺装置の全体を示す斜視図である。
【図６】図５に示した手摺装置の正面図である。
【図７】本願発明の第３の実施形態に係る手摺装置の全体を示す斜視図である。
【図８】図７に示した手摺装置の正面図である。
【図９】本願発明の第４の実施形態に係る手摺装置の全体を示す斜視図である。
【図１０】図９に示した手摺装置の正面図である。
【発明を実施するための形態】
【００２７】
Ａ：第１の実施形態
図１及び図２には、本願発明の第１の実施形態に係る手摺装置Ｚ１を示している。
【００２８】
「手摺装置Ｚ１の構成」
上記手摺装置Ｚ１は、着座式トイレであるポータブルトイレ２０に対して、必要に応じて付設されるものであって、長矩形の平面形体をもつ設置基台１の長辺側の縁部の左右両側に、肘付手摺ユニット２をそれぞれ取り付けて構成される。
【００２９】
また、上記肘付手摺ユニット２は、上記設置基台１に立設固定され且つ長さ（高さ）調整が可能とされた支柱５と、該支柱５の上端において上記設置基台１の短辺方向に向けて延出するように取り付けられた側部肘掛６と、該側部肘掛６の先端部に取付けられた前部肘掛７を備えて構成される。
【００３０】
なお、上記前部肘掛７は、上記側部肘掛６の先端部を回動中心として上記設置基台１の長辺に平行な面に沿って、上記側部肘掛６の先端部から略鉛直上方に延出する跳上位置と、該先端部から略水平に延出する横設位置の間で回動可能とされ、且つ横設位置においてはそれ以上に下方へ回動するのが規制されてその横設位置が保持されるようになっている。
【００３１】
また、上記肘付手摺ユニット２は、上述のように上記設置基台１の左右両端側に離間して対向配置されるものであり、そのためこの左右一対の肘付手摺ユニット２においては上記前部肘掛７の横設位置での延出方向が対向するように制作される。したがって、これら一対の肘付手摺ユニット２の各前部肘掛７が共に横設位置に設定された状態（図１、図２の図示状態）では、左右の前部肘掛７が所定間隔をもて対向し、ポータブルトイレ２０の直前方に横設状態で配置されることになる。
【００３２】
さらに、上記設置基台１には、その四隅部分のそれぞれに、左右方向に所定間隔で並んだ５個のボルト孔が前後２列に設けられて一つのボルト孔群を構成している。このボルト孔群は支柱固定部となるものであって、ここでは、上記設置基台１の一方の長辺側の左右両側に位置するボルト孔群を第１支柱固定部１４、第２支柱固定部１５とし、また他方の長辺側の左右両側に位置するボルト孔群を第３支柱固定部１６、第４支柱固定部１７としている。
【００３３】
したがって、上記一対の肘付手摺ユニット２は、その各支柱５を上記第１支柱固定部１４と第２支柱固定部１５にそれぞれ固定するか（図１の状態）、上記第２支柱固定部１５と第４支柱固定部１７に固定するかによって、該設置基台１に対する前後方向の取付け位置を変更できるので、付設されるポータブルトイレ２０との相対関係等に応じて取付け位置を変更すれば良い。
【００３４】
さらに左右一対の肘付手摺ユニット２は、各支柱固定部１４〜１７におけるボルト孔群のボルト孔を選択して使用することで、該一対の肘付手摺ユニット２の対向間隔を増減調整することができる。この対向間隔の調整は、手摺装置Ｚ１の付設されるポータブルトイレ２０の幅寸法との関係において行われ、これによって該ポータブルトイレ２０と上記手摺装置Ｚ１との横方向（幅方向）の間隔が調整される。
【００３５】
「手摺装置Ｚ１の設置」
上記手摺装置Ｚ１は、必要に応じて次述のポータブルトイレ２０に付設される。このポータブルトイレ２０は、椅子型形体とされ、その本体部２１の上面側の左右両側にはそれぞれ肘掛部２２が一体的に備えられている。
【００３６】
そして、上記手摺装置Ｚ１は、上記ポータブルトイレ２０の前部近傍に、上記左右一対の肘付手摺ユニット２の間に上記ポータブルトイレ２０の前部を進入させた状態で設置される。この場合、上記一対の肘付手摺ユニット２の前後方向の取付位置と左右方向の取付位置、及び上記支柱５の高さ調整は、上記ポータブルトイレ２０の幅寸法、奥行き寸法及び上記肘掛部２２の高さに応じて、予め位置調整及び高さ調整が行われており、この実施形態の場合には、上記ポータブルトイレ２０の前端が上記設置基台１の前端近くに位置し、また上記側部肘掛６は上記ポータブルトイレ２０の肘掛部２２と略同一高さとなっている。
【００３７】
なお、この実施形態の場合には、上記手摺装置Ｚ１の一対の肘付手摺ユニット２を上記設置基台１の第３支柱固定部１６と第４支柱固定部１７に固定しているため、上記ポータブルトイレ２０は上記設置基台１上に略乗り上げた状態となっているが、他の実施形態では、例えば上記一対の肘付手摺ユニット２を上記設置基台１の第１支柱固定部１４と第２支柱固定部１５に固定すれば、上記ポータブルトイレ２０の前方側に上記設置基台１の大部分を露出させることができる。
【００３８】
このように上記ポータブルトイレ２０に上記手摺装置Ｚ１を付設すれば、上記ポータブルトイレ２０の使用者は、上記手摺装置Ｚ１の左右の側部肘掛６を掴んでより安全に上記ポータブルトイレ２０の座面に座ったり、該座面から立ち上がったりできるとともに、着座状態においては安楽姿勢を維持できる。また、座面に座っての用便時には、上体を若干前倒しにして前方に横設配置された上記前部肘掛７に肘をついて体重の一部を預けることで、排便し易い体勢をとることができ、用便時におけるトイレ使用者の負担軽減が図れる。
【００３９】
なお、上記ポータブルトイレ２０へのトイレ使用者の進入及び退出時には、上記各肘付手摺ユニット２の前部肘掛７は共に跳上位置に位置決めされ、トイレ使用者の移動スペースを確保する。また、上記肘付手摺ユニット２は、この実施形態のように上記設置基台１の左右両側に設けるのではなく、左右何れか一方側のみに設けることも可能である。
【００４０】
Ｂ：第２の実施形態
図３及び図４には、本願発明の第２の実施形態に係る手摺装置Ｚ２を示している。なお、以下においては、第１の実施形態の手摺装置Ｚ１における部材と同じ部材については、同じ符号を付してその説明を援用し、ここでの説明を省略する。
【００４１】
「手摺装置Ｚ２の構成」
上記手摺装置Ｚ２は、着座式トイレであるポータブルトイレ２０に対して、必要に応じて付設されるものであって、長矩形の平面形体をもつ設置基台１の一方の長辺側の縁部の左右両側に肘付手摺ユニット２をそれぞれ取り付けるとともに、他方の長辺側の縁部には補助手摺ユニット３を取り付けて構成される。
【００４２】
即ち、この実施形態の手摺装置Ｚ２は、上記第１の実施形態に係る上記手摺装置Ｚ１に、上記補助手摺ユニット３を追加した構成となっている。したがって、以下においては、上記手摺装置Ｚ１と共通する事項についてはその説明をできるだけ省略して第１の実施形態における説明を援用し、ここでは上記補助手摺ユニット３を含む新規な構成を中心に説明する。
【００４３】
上記補助手摺ユニット３は、上記設置基台１にボルト締結によって立設固定され且つ長さ（高さ）調整が可能とされた支柱１０と、該支柱１０の上端側に取付けられた手摺体１１を備えて構成される。なお、上記手摺体１１は、上下方向に長軸をもつ縦環状体であって、その一方の長辺部の下端が上記支柱１０の上端に連結されることで、他方の長辺部が側方へ偏移した形状とされ、主としてこの偏移部分が把持部として機能する。
【００４４】
また、上記手摺体１１の下端部には、反偏移側へ延出する小杆状の連結杆１２が設けられている。この連結杆１２は、上記補助手摺ユニット３が上記設置基台１の上記第３支柱固定部１６又は第４支柱固定部１７に選択的に固定されたとき、同じ側にある第１支柱固定部１４又は第２支柱固定部１５に固定された上記肘付手摺ユニット２の支柱５に突設した連結杆８と連結されることで（図５、図６参照）、その固定強度が確保される。即ち、この補助手摺ユニット３は、上記各肘付手摺ユニット２よりも前方側にあって且つその高さも高いことから、主としてトイレ使用者がポータブルトイレ２０の座面に着座したり、これから離座するときに把持し且つ側方へ比較的大きな力が掛けられる部分であるため、上記支柱１０を上記肘付手摺ユニット２の支柱５に連結してその固定強度を確保したものである。
【００４５】
また、上記補助手摺ユニット３は、上記設置基台１の上記第３支柱固定部１６又は第４支柱固定部１７に固定される場合、さらにこれら各支柱固定部１６，１７内で使用するボルト孔を選択することで、左右方向における位置調整を行うことができる。なお、上記補助手摺ユニット３を上記設置基台１の第３支柱固定部１６と第４支柱固定部１７の何れに固定するかは、例えば、トイレ使用者の体格とかトイレへの進入・退出経路の状況等に応じて任意に決定される。
【００４６】
以上のように構成された上記手摺装置Ｚ２を上記ポータブルトイレ２０の前部近傍に付設すれば、該ポータブルトイレ２０の使用者は、上記手摺装置Ｚ２の左右の側部肘掛６を掴んでより安全に上記ポータブルトイレ２０の座面に座ったり、該座面から立ち上がったりできるとともに、着座時においては安楽姿勢を維持できる。また、座面に座っての用便時には、上体を若干前倒しにして前方の横設配置された上記前部肘掛７に肘をついて体重の一部を預けることで、排便し易い体勢をとることができ、用便時におけるトイレ使用者の負担軽減が図れる。さらに、トイレ使用者が前方から上記ポータブルトイレ２０側へ進入してその座面に着座する場合とか、該座面から離座して前方側へ退出する場合には、上記補助手摺ユニット３の手摺体１１を把持しながら移動することで移動上の安全性が担保される。
【００４７】
Ｃ：第３の実施形態
図７及び図８には、本願発明の第３の実施形態に係る手摺装置Ｚ３を示している。なお、以下においては、第１及び第２の実施形態の手摺装置Ｚ１、Ｚ２における部材と同じ部材については、同じ符号を付してその説明を援用し、ここでの説明を省略する。
【００４８】
上記手摺装置Ｚ３は、着座式トイレであるポータブルトイレ２０に対して、必要に応じて付設されるものであって、その基本構成は上記第２の実施形態における上記手摺装置Ｚ２から、上記前部肘掛７を取り除いたものとなっている。したがって、基本的に上記手摺装置Ｚ２におけると同様の作用効果が得られるため、第２の実施形態における該当説明を援用するものとし、ここでの重ねての説明は省略する。
【００４９】
ただし、この実施形態の手摺装置Ｚ３においては、上記各手摺装置Ｚ１、Ｚ２に備えられていた上記前部肘掛７が備えられていないことから、上記ポータブルトイレ２０の前方側のスペースに余裕ができ、その分だけ上記ポータブルトイレ２０の座面への着座動作、あるいは該座面からの離座動作が容易となり、特にトイレ使用者の体格が大きいような場合には好適である。
【００５０】
Ｄ：第４の実施形態
図９及び図１０には、本願発明の第４の実施形態に係る手摺装置Ｚ４を示している。この実施形態の手摺装置Ｚ４は、これが上記各実施形態のようなポータブルトイレ２０ではなく、床面に固定配置される洋式トイレ３０である点を除けば、全て上記第３の実施形態に係る上記手摺装置Ｚ３と同じ構成とされている。
【００５１】
したがって、ここでは、基本的に上記第１〜第３の実施形態に係る上記各手摺装置Ｚ１〜手摺装置Ｚ３の該当説明を援用し、ここでの重ねての説明を省略する。
【００５２】
しかし、この実施形態では上記手摺装置Ｚ４を上記洋式トイレ３０に付設したことで、図９に示すように、上記設置基台１の一部を切り欠いてこの切欠き部分を上記洋式トイレ３０の本体部３１の前面に対応させることで、該洋式トイレ３０への付設が可能となる。そして、このように上記手摺装置Ｚ４を洋式トイレ３０に付設したことで、一般に肘掛が備えられていない洋式トイレ３０において、上記手摺装置Ｚ４の上記側部肘掛６を使用することで、便座への着座状態での安楽姿勢の保持が促進される。
【産業上の利用可能性】
【００５３】
本願発明に係る手摺装置は、主として介護分野において利用されるものである。
【符号の説明】
【００５４】
１  ・・設置基台
２  ・・肘付手摺ユニット
３  ・・補助手摺ユニット
５  ・・支柱
６  ・・側部肘掛
７  ・・前部肘掛
１０  ・・支柱
１１  ・・手摺体
２０  ・・ポータブルトイレ
３０  ・・洋式トイレ
Ｚ１〜Ｚ４  ・・・手摺装置
【図１】
2020025742.tif 000003
【図２】
2020025742.tif 000004
【図３】
2020025742.tif 000005
【図４】
2020025742.tif 000006
【図５】
2020025742.tif 000007
【図６】
2020025742.tif 000008
【図７】
2020025742.tif 000009
【図８】
2020025742.tif 000010
【図９】
2020025742.tif 000011
【図１０】
2020025742.tif 000012